(57)【特許請求の範囲】
【請求項１】
ウォーターフェンスを覆うカバー部と、
前記カバー部の背面側に設けられた背面部と、
前記カバー部の側面外側に設けられ、前記ウォーターフェンスが設置される面に接する側面底部と、
前記背面部により壁面の一部が形成されるとともに、前記側面底部の上側に設けられた収容部を構成する包囲状壁部とを備える、ウォーターフェンス用シート。
【請求項２】
前記収容部には、少なくとも前記背面部を背面側に押圧する押圧部材が収容可能に構成されている、請求項１に記載のウォーターフェンス用シート。
【請求項３】
前記包囲状壁部は、前記背面部と前記カバー部の側面とに接続されている、請求項１または２に記載のウォーターフェンス用シート。
【請求項４】
前記包囲状壁部は、前記カバー部の側面に対して着脱可能に構成されている、請求項３に記載のウォーターフェンス用シート。
【請求項５】
前記収容部は、前記カバー部の長手方向の両端に設けられている、請求項１〜４のいずれか１項に記載のウォーターフェンス用シート。
【請求項６】
前記カバー部と前記背面部との間には、水溜り部が設けられている、請求項１〜５のいずれか１項に記載のウォーターフェンス用シート。
【請求項７】
前記包囲状壁部の一部は、前記水溜り部の側壁により構成されている、請求項６に記載のウォーターフェンス用シート。
【請求項８】
前記背面部は、上端が前記カバー部よりも高い位置に配置されるように構成されている、請求項１〜７のいずれか１項に記載のウォーターフェンス用シート。
【発明の詳細な説明】
【技術分野】
【０００１】
この発明は、ウォーターフェンス用シートに関する。
【背景技術】
【０００２】
従来、浸水を防止するための水嚢（ウォーターフェンス）が知られている（たとえば、特許文献１参照）。
【０００３】
上記特許文献１には、洪水などによって大量の水が流れ出た場合、袋体に水を注水して、流出した水による浸水を防ぐ堰として機能させるための水嚢（ウォーターフェンス）が開示されている。この特許文献１の水嚢は、流出した水によって水嚢が流されないように積載性や、設置性を向上させる為に水嚢の底面に吸盤が複数設けられている。
【先行技術文献】
【特許文献】
【０００４】
【特許文献１】特開２００５−１６３５１４号公報
【発明の概要】
【発明が解決しようとする課題】
【０００５】
しかしながら、上記特許文献１では、注水した袋体からなる水嚢を地面に設置して浸水を防ぐという構造であるため、設置面と水嚢との間に隙間が生じて、侵入してくる水を確実に止めることが困難であるという不都合がある。また、上記特許文献１の水嚢は、前面からの水をある程度止めることができるのの、ウォーターフェンスの側方から背面に回り込む水を止めることが困難であるという不都合もある。このため、浸水を効果的に抑制することが困難であるという問題点がある。
【０００６】
この発明は、上記のような課題を解決するためになされたものであり、この発明の１つの目的は、設置面に対しての水密性を向上させるとともに、背面への水の回り込みを抑制して、浸水を効果的に抑制することが可能なウォーターフェンス用シートを提供することである。
【課題を解決するための手段】
【０００７】
この発明の一の局面によるウォーターフェンス用シートは、ウォーターフェンスを覆うカバー部と、カバー部の背面側に設けられた背面部と、カバー部の側面外側に設けられ、ウォーターフェンスが設置される面に接する側面底部と、背面部により壁面の一部が形成されるとともに、側面底部の上側に設けられた収容部を構成する包囲状壁部とを備える。
【０００８】
この発明の一の局面によるウォーターフェンス用シートでは、上記のように、背面部により壁面の一部が形成されるとともに、側面底部の上側に配置された収容部を構成する包囲状壁部を設ける。これにより、収容部に背面部を背面側に押圧する押圧部材を収容することができるので、背面部を背面側の壁や柱などに密着させることができる。これにより、ウォーターフェンスの側面を回り込んで背面に水が侵入するのを抑制することができる。また、収容部に側面底部を設置面側に押圧する押圧部材を収容することができるので、側面底部を設置面に密着させることができる。これにより、設置面に対しての水密性を向上させることができる。これらの結果、設置面に対しての水密性を向上させるとともに、背面への水の回り込みを抑制して、浸水を効果的に抑制することができる。
【０００９】
上記一の局面によるウォーターフェンス用シートにおいて、好ましくは、収容部には、少なくとも背面部を背面側に押圧する押圧部材が収容可能に構成されている。このように構成すれば、押圧部材による押圧により背面部を背面側の壁や柱などに容易に密着させることができるので、背面への水の回り込みを効果的に抑制することができる。
【００１０】
上記一の局面によるウォーターフェンス用シートにおいて、好ましくは、包囲状壁部は、背面部とカバー部の側面とに接続されている。このように構成すれば、収容部を、背面部と、ウォーターフェンスの側面との両方に隣接して配置することができる。
【００１１】
この場合、好ましくは、包囲状壁部は、カバー部の側面に対して着脱可能に構成されている。このように構成すれば、包囲状壁部のカバー部の側面に対する装着位置を変更させることができるので、収容部の大きさを容易に調整することができる。これにより、背面部を背面側に押圧する押圧部材を収容部に収容する場合に、押圧部材を確実に背面部に押し当てることができるので、背面部を背面側に確実に押圧することができる。
【００１２】
上記一の局面によるウォーターフェンス用シートにおいて、好ましくは、収容部は、カバー部の長手方向の両端に設けられている。このように構成すれば、ウォーターフェンスの長手方向の側面両端から回り込んで背面に水が侵入するのを効果的に抑制することができる。
【００１３】
上記一の局面によるウォーターフェンス用シートにおいて、好ましくは、カバー部と背面部との間には、水溜り部が設けられている。このように構成すれば、水溜り部に溜まった水により、ウォーターフェンス用シートを設置面および背面の壁や柱などに対して密着させることができるので、ウォーターフェンスの背面への水の回り込みをより効果的に抑制することができる。
【００１４】
この場合、好ましくは、包囲状壁部の一部は、水溜り部の側壁により構成されている。このように構成すれば、水溜り部の側壁を用いて、収容部を容易に形成することができる。
【００１５】
上記一の局面によるウォーターフェンス用シートにおいて、好ましくは、背面部は、上端がカバー部よりも高い位置に配置されるように構成されている。このように構成すれば、ウォーターフェンスを越えた水を、背面部により止めることができるので、背面部の背面への浸水を効果的に抑制することができる。
【発明の効果】
【００１６】
本発明によれば、上記のように、設置面に対しての水密性を向上させるとともに、背面への水の回り込みを抑制して、浸水を効果的に抑制することができる。
【図面の簡単な説明】
【００１７】
【図１】本発明の一実施形態によるウォーターフェンス用シートを設置した状態を示した斜視図である。
【図２】本発明の一実施形態によるウォーターフェンス用シートが被せられるウォーターフェンスを上方から見た斜視図である。
【図３】本発明の一実施形態によるウォーターフェンス用シートが被せられるウォーターフェンスを下方から見た斜視図である。
【図４】本発明の一実施形態によるウォーターフェンス用シートが被せられるウォーターフェンス本体部を下方から見た斜視図である。
【図５】本発明の一実施形態によるウォーターフェンス用シートが被せられるウォーターフェンスの分解斜視図である。
【図６】本発明の一実施形態によるウォーターフェンス用シートが被せられるウォーターフェンスの設置力増強部材の特性を示した表である。
【図７】本発明の一実施形態によるウォーターフェンス用シートが被せられるウォーターフェンスの第１設置力増強部材の特性を示した表である。
【図８】本発明の一実施形態によるウォーターフェンス用シートの包囲状壁部をカバー部の側面から取り外した状態を示した斜視図である。
【図９】本発明の一実施形態によるウォーターフェンス用シートの展開図である。
【図１０】図１の１００−１００線に沿った断面図である。
【図１１】図１の２００−２００線に沿った断面図である。
【発明を実施するための形態】
【００１８】
以下、本発明の実施形態を図面に基づいて説明する。
【００１９】
図１〜図１１を参照して、本発明の一実施形態について説明する。本実施形態によるウォーターフェンス用シート５は、図１に示すように、ウォーターフェンス１０を覆うように設置されるように構成されている。
【００２０】
（ウォーターフェンスの構成）
ウォーターフェンス１０は、建物への浸水を防いだり、工事現場などにおいて水を長時間せき止めたり、流れを有する河川などをせき止めたりするために用いられる。ウォーターフェンス１０は、図２および図３に示すように、ウォーターフェンス本体部１と、設置力増強部材２とを備えている。また、ウォーターフェンス本体部１には、自吸機能を有した自吸ポンプ（以下「ポンプ」と称す）３が接続されている。また、ポンプ３は、急な増水に対しても信頼性の高い水没使用が可能な防水構造を有するポンプとすることが望ましい。また、ウォーターフェンス本体部１には、重りとしてペットボトル４が配置されている。
【００２１】
ウォーターフェンス本体部１は、第１部材１１と、第２部材１２と、連結部材１３とを含んでいる。第１部材１１は、吸水装置取付部１１１と、吸水口部１１２（図４参照）と、溝部１１３（図４参照）と、連結用係合部１１４（図５参照）と、嵌合部１１５（図５参照）とを有している。第２部材１２は、重り取付部１２１（図２参照）と、溝部１２２（図４参照）と、連結用係合部１２３（図５参照）と、嵌合部１２４（図５参照）とを有している。
【００２２】
設置力増強部材２は、図３および図５に示すように、第１設置力増強部材２１と、第２設置力増強部材２２とを含んでいる。
【００２３】
ウォーターフェンス本体部１は、浸水を防止するための堰を形成している。具体的には、ウォーターフェンス本体部１は、図２に示すように、第１部材１１のＸ方向の両端に、それぞれ、第２部材１２が連結されている。つまり、ウォーターフェンス本体部１は、複数に分割可能に構成されている。第１部材１１と第２部材１２とは、ゴム製の連結部材１３により互いに連結されている。詳しくは、図５に示すように、第１部材１１の連結用係合部１１４と、第２部材１２の連結用係合部１２３とが隣接して配置された状態で、連結部材１３が、連結用係合部１１４および連結用係合部１２３の両方に係合している。連結部材１３は、第１部材１１および第２部材１２の側面（Ｙ１方向側およびＹ２方向側の側面）と、上面（Ｚ１方向側の面）とに跨って係合するように構成されている。
【００２４】
第１部材１１は、水を透過させない素材により形成されている。第１部材１１は、たとえば、ゴムや樹脂或いは金属などにより形成されている。第１部材１１の吸水装置取付部１１１には、図２に示すように、ポンプ３が連結されるように構成されている。吸水装置取付部１１１は、ウォーターフェンス本体部１の底面１ａ側（Ｚ２方向側）に設けられた吸水口部１１２（図４参照）と連通している。つまり、ウォーターフェンス本体部１の底面１ａと設置面との間の水が、ポンプ３により吸水口部１１２および吸水装置取付部１１１を介して吸水される。また、吸水装置取付部１１１に、異物除去用のフィルターを設けてもよい。これにより、ポンプ３によって吸い込み、排出される水からゴミなどの異物を除去することができるので、緊急時の水として活用することも可能である。なお、フィルターは吸込みから排出までの間に設けられれば良いので、ポンプ３の吸水用ホースなどに設けてもよい。
【００２５】
吸水口部１１２は、スリットや突起やバースクリーン等を設けるように端面部が凹凸状に形成されている。これにより、吸水口部１１２端部の周方向から吸水することが可能になるので、吸水口部１１２が地面に接したとしてもスリットや、突起やバースクリーンの隙間から吸水することが可能である。つまり、第２設置力増強部材２２がウォーターフェンス本体部１から、たとえば数ｍｍ程度出るように取り付けられた場合、吸水口部１１２も同様にウォーターフェンス本体部１から数ｍｍ程度出る長さにまで構成することが可能である。また、バースクリーンの隙間から吸水することにより、異物の混入を抑制することができるので、ポンプ３に異物が吸い込まれるのを抑制することが可能である。
【００２６】
図４に示すように、第１部材１１の下面側（Ｚ２方向側）には、溝部１１３が設けられている。溝部１１３には、設置力増強部材２が嵌り込むように配置される。また、溝部１１３は、吸水口部１１２をＹ方向に挟み込むように、１対設けられている。また、溝部１１３は、第１部材１１に連結される第２部材１２の溝部１２２とつながるように形成されている。
【００２７】
図５に示すように、第１部材１１の底面部（Ｚ２方向側部）には、第２部材１２側に凸状に突出する嵌合部１１５が設けられている。嵌合部１１５は、第２部材１２の嵌合部１２４に嵌合するように構成されている。また、嵌合部１１５は、平面視において（Ｚ方向から見て）、第２部材１２とオーバーラップするように配置されている。つまり、嵌合部１１５は、第１部材１１および第２部材１２を底面を上にして組立てた場合に、図４に示すように、第２部材１２に覆いかぶさるように、嵌合部１２４に嵌合する。
【００２８】
図２に示すように、第２部材１２は、直方体の箱型形状を有している。また、第２部材１２は、Ｘ方向に延びるように形成されている。また、第２部材１２は、水を透過させない素材により形成されている。第２部材１２は、たとえば、発泡スチロールやゴムや樹脂或いは金属などにより形成されている。第２部材１２の重り取付部１２１には、重りとしてのペットボトル４が取り付けられるように構成されている。第２部材１２の重り取付部１２１にペットボトル４が取り付けられることによりウォーターフェンス１０に加わる荷重を増すことが可能なように構成されている。なお、重り取付部１２１に、水、石、砂、土などを入れて重りとしてもよい。
【００２９】
図４に示すように、第２部材１２の下面側（Ｚ２方向側）には、溝部１２２が設けられている。溝部１２２には、設置力増強部材２が嵌り込むように配置される。また、溝部１２２は、Ｕ字形状に形成されている。また、溝部１２２は、第２部材１２に連結される第１部材１１の溝部１１３とつながるように形成されている。つまり、第１部材１１の溝部１１３と、第２部材１２の溝部１２２とが連結されて、長方形のロ字形状の溝部が形成される。
【００３０】
図５に示すように、第２部材１２の底面部（Ｚ２方向側部）には、第１部材１１の嵌合部１１５が嵌合する嵌合部１２４が設けられている。具体的には、嵌合部１２４は、凹状に形成されており、凸状の嵌合部１１５が嵌合するように構成されている。嵌合部１１５および嵌合部１２４が嵌合することにより、第１部材および第２部材を組み立てる際に、第１部材および第２部材がＹ方向およびＺ方向にずれることを抑制することができるとともに、第１部材の向きと第２部材の向きとを間違えることなく容易に位置決めを行うことができるので、組み立て作業を容易に行うことが可能である。
【００３１】
図３に示すように、設置力増強部材２は、ウォーターフェンス本体部１の底面１ａに配置され、ウォーターフェンス本体部１の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。
【００３２】
具体的には、設置力増強部材２は、ウォーターフェンス本体部１の自重と、ポンプ３が吸水することにより生じる負圧とにより、水の透過率が所定の値となることにより、ウォーターフェンス本体部１の底面１ａと設置面との間に外部からの水を所定量透過させてポンプ３の自吸水を確保するように構成されている。
【００３３】
図５に示すように、設置力増強部材２は、第１設置力増強部材２１と、第２設置力増強部材２２とが積層されている。第１設置力増強部材２１は、設置面側（Ｚ２方向側）に配置されている。第２設置力増強部材２２は、ウォーターフェンス本体部１側に配置されている。第１設置力増強部材２１および第２設置力増強部材２２は、接着層（接着剤や接着テープなど）を介して貼り合わされている。
【００３４】
第１設置力増強部材２１は、半連続気泡構造を有しており、圧縮変形されることにより水の透過率が変化するように構成されている。第１設置力増強部材２１は、たとえば、半連続気泡構造の気孔率５０％〜６０％程度のやわらかいスポンジにより形成されている。また、第１設置力増強部材２１は、半連続気泡構造のスポンジが圧縮されることによりスポンジの孔が小さくなり、水の透過率が変わるように構成されている。ポンプ３が駆動された場合、半連続気泡構造のスポンジは５０〜８０％程度圧縮されることが望ましい。
【００３５】
また、第１設置力増強部材２１は、ウォーターフェンス本体部１の自重と、重り取付部１２１に取り付けられたペットボトル４の重さと、ポンプ３の吸引力によって生じる負圧とにより圧縮されるように構成されている。また、ポンプ３は空気を混じって吸うと空運転となってしまうので、第１設置力増強部材２１を透過させる水はポンプ３を空運転させない水量となるように構成されている。
【００３６】
第２設置力増強部材２２は、第１設置力増強部材２１よりも硬い材料により形成されている。第２設置力増強部材２２は、たとえば、硬質のスポンジ材やゴム材により形成されている。第２設置力増強部材２２は、ウォーターフェンス本体部１の自重やポンプ３の吸引力による負圧によって圧縮されない程度の硬さを有する。また、第２設置力増強部材２２は、ウォーターフェンス本体部１の底面１ａに、ウォーターフェンス本体部１から、たとえば数ｍｍ程度出るように取り付けられている。その結果、点字ブロックなどの設置面の凸部がウォーターフェンス本体部１に直接当たることに起因してウォーターフェンス本体部１が傾いて設置されるのを抑制することが可能である。これにより、吸水口部１１２が吸水面から離脱して空気中に配置されるのを抑制することができるので、ポンプ３が空運転するのを効果的に抑制することが可能である。
【００３７】
また、第２設置力増強部材２２は、は、ウォーターフェンス本体部１の底面１ａの溝部１１３および１２２の幅より若干大きい幅を有するように形成されている。これにより、第２設置力増強部材２２は、溝部１１３および１２２に圧入されることによりウォーターフェンス本体部１の底面１ａに取り付けられるように構成されている。その結果、設置力増強部材２が経年劣化などにより交換が必要となった場合でも容易に取替えることが可能である。
【００３８】
ポンプ３は、ウォーターフェンス本体部１の底面１ａと設置面との間の水を吸い取るように構成されている。また、ポンプ３は、水深が浅い水を吸水可能に構成されている。よって、ポンプ３は、設置面とウォーターフェンス本体部１の底面１ａとの間に浸水した少量の水を効果的に排水することができる。
【００３９】
図６を参照して、設置力増強部材２（第１設置力増強部材２１および第２設置力増強部材２２）の特性の一例について説明する。
【００４０】
図６に示すように、第１設置力増強部材２１は、たとえば、見掛け密度が１３０ｋｇ／ｍ3であり、引張強さが１００ｋＰａであり、伸びが５５０％である。また、第１設置力増強部材２１は、圧縮硬さが、圧縮率が２５％の場合、３．９ｋＰａであり、圧縮率が５０％の場合、６．０ｋＰａである。第２設置力増強部材２２は、見掛け密度が１１０ｋｇ／ｍ3であり、引張強さが１４８０ｋＰａであり、伸びが１２０％である。また、第２設置力増強部材２２は、たとえば、圧縮硬さが、圧縮率が２５％の場合、２７５ｋＰａであり、圧縮率が５０％の場合、４００ｋＰａである。つまり、第１設置力増強部材２１よりも第２設置力増強部材２２の方が硬い材料により形成されている。
【００４１】
図７を参照して、第１設置力増強部材２１の特性（水透過）の一例について説明する。
【００４２】
図７に示すように、水透過について、第１設置力増強部材２１は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、第１設置力増強部材２１は、圧縮率が７０％、８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分を超えて３０分以内に水漏れがあった場合、「△」と示し、３０分間水漏れしなかった場合、「○」と示している。
【００４３】
第１設置力増強部材２１に用いる気孔率５０％〜６０％程度の半連続気泡構造のやわらかいスポンジは、図７に示す一例のように、圧縮率に応じた透過率となる。また、第１設置力増強部材２１は、５０％以上８０％以下の圧縮率になるように圧縮抑制することにより、半連続気泡構造のスポンジを透過する水量をポンプ３の呼び水として適度な透過水量に抑えることが可能である。また、第１設置力増強部材２１（スポンジ）を透過した水をポンプ３で排水するのでウォーターフェンス本体部１を越えて浸水させないようにすることが可能である。つまり、ポンプ３を駆動させた場合に、第１設置力増強部材２１の圧縮率が５０％以上８０％以下になることが好ましい。
【００４４】
（ウォーターフェンス用シートの構成）
図１および図８〜１１を参照して、ウォーターフェンス１０を覆うウォーターフェンス用シート５について説明する。
【００４５】
図１に示すように、ウォーターフェンス用シート５は、ウォーターフェンス１０を覆うように構成されている。また、ウォーターフェンス用シート５は、ウォーターフェンス１０の背面側のたとえば、柱５０や壁或いは扉（図示せず）などに取り付けられている。ウォーターフェンス用シート５は、水を透過させない素材により形成されている。たとえば、ウォーターフェンス用シート５は、ポリ塩化ビニルにより形成されている。また、ウォーターフェンス用シート５は、たとえば、約０．５ｍｍの厚みを有する。また、ポンプ３を駆動させることにより、ウォーターフェンス用シート５が背面側（Ｙ１方向側）の柱５０や壁および設置面に吸着するように構成されている。
【００４６】
また、ウォーターフェンス用シート５をウォーターフェンス１０を覆うように設置することにより、ウォーターフェンス１０の背面（Ｙ１方向側）に回りこむ水をせき止めながら、ポンプ３により排水を行うことが可能に構成されている。
【００４７】
ウォーターフェンス用シート５は、図１に示すように、カバー部５１と、背面部５２と、側面底部５３と、包囲状壁部５４とを備えている。カバー部５１は、図８および図９に示すように、カバー前面５１１と、カバー上面５１２と、カバー背面５１３と、カバー側面５１４と、カバー背側面５１５とを含んでいる。
【００４８】
カバー部５１は、ウォーターフェンス１０を覆うように構成されている。カバー部５１は、ウォーターフェンス１０よりもわずかに大きい直方体形状を有している。つまり、カバー部５１は、長手方向（Ｘ方向）において、ウォーターフェンス１０の長手方向（Ｘ方向）と略同じ長さを有している。また、カバー部５１は、奥行方向（Ｙ方向）において、ウォーターフェンス１０の奥行方向（Ｙ方向）と略同じ長さを有している。また、カバー部５１は、高さ方向（Ｚ方向）において、ウォーターフェンス１０の高さ方向（Ｚ方向）と略同じ長さを有している。
【００４９】
カバー部５１のカバー前面５１１は、ウォーターフェンス１０の前面側（Ｙ２方向側）を覆うように構成されている。カバー前面５１１は、長方形形状に形成されている。また、図８に示すように、カバー前面５１１には、ポンプ３に接続されるホースを通すための孔部５１１ａが設けられている。
【００５０】
カバー上面５１２は、ウォーターフェンス１０の上面側（Ｚ１方向側）を覆うように構成されている。カバー上面５１２は、長方形形状に形成されている。カバー背面５１３は、ウォーターフェンス１０の背面側（Ｙ１方向側）を覆うように構成されている。カバー背面５１３は、長方形形状に形成されている。
【００５１】
カバー側面５１４は、ウォーターフェンス１０の側面側（Ｘ１方向側およびＸ２方向側）を覆うように構成されている。カバー側面５１４は、カバー部５１のＸ方向の両端に一対設けられている。カバー側面５１４は、長方形形状に形成されている。カバー側面５１４には、複数の係合部５１４ａが設けられている。係合部５１４ａは、高さ方向（Ｚ方向）に延びるように形成されている。係合部５１４ａは、包囲状壁部５４の係合部５４ａと係合するように構成されている。係合部５１４ａは、たとえば、面ファスナーにより構成されている。
【００５２】
カバー背側面５１５は、カバー側面５１４と、背面部５２とを接続するように設けられている。カバー背側面５１５には、複数の係合部５１５ａが設けられている。係合部５１５ａは、高さ方向（Ｚ方向）に延びるように形成されている。係合部５１５ａは、包囲状壁部５４の係合部５４ａと係合するように構成されている。係合部５１５ａは、たとえば、面ファスナーにより構成されている。
【００５３】
カバー前面５１１、カバー上面５１２、カバー背面５１３、カバー側面５１４、カバー背側面５１５および背面部５２の辺は、それぞれ、縫製により接合されている。なお、それぞれの接合部分は、防水加工を施してもよい。
【００５４】
背面部５２は、ウォーターフェンス１０の側面（Ｘ方向）から背面側（Ｙ１方向側）に回り込む水を止めるために設けられている。具体的には、背面部５２は、図１に示すように、カバー部５１の背面側（Ｙ１方向側）に設けられている。背面部５２は、前面から見て（Ｙ２方向から見て）カバー部５１よりも大きい投影面積を有している。具体的には、背面部５２は、Ｘ方向において、カバー部５１よりも大きい長さを有している。また、背面部５２は、Ｚ方向において、カバー部５１よりも大きい長さを有している。つまり、背面部５２は、上端がカバー部５１よりも高い位置に配置されるように構成されている。図８および図９に示すように、背面部５２には、フックや吸盤等を利用することで背面側（Ｙ１方向側）の壁や柱などに背面部５２を取り付けるための複数の孔部５２１が設けられている。複数の孔部５２１は、背面部５２のＸ方向における両端の上側（Ｚ１方向側）に設けられている。つまり、孔部５２１には、フックがかけられたり、吸盤が取り付けられるように構成されている。
【００５５】
側面底部５３は、カバー部５１の側面外側（Ｘ１方向側およびＸ２方向側）に設けられている。また、側面底部５３は、ウォーターフェンス１０が設置される面に接するように構成されている。つまり、側面底部５３は、ウォーターフェンス１０の側面（Ｘ方向）から回り込む水を止めるために設けられている。
【００５６】
ここで、本実施形態では、包囲状壁部５４は、背面部５２の一部とともに、側面底部５３の上側（Ｚ１方向側）に配置された収容部５ａを構成している。収容部５ａには、少なくとも背面部５２を背面側（Ｙ１方向側）に押圧する押圧部材６が収容可能に構成されている。具体的には、図１０に示すように、収容部５ａには、背面部５２を背面側（Ｙ１方向側）に押圧するとともに、側面底部５３を設置面（Ｚ２方向側）に押圧する押圧部材６が収容可能に構成されている。また、図１に示すように、収容部５ａ（包囲状壁部５４）は、カバー部５１の長手方向（Ｘ方向）の両端に設けられている。
【００５７】
また、包囲状壁部５４は、背面部５２とカバー部５１のカバー側面５１４およびカバー背側面５１５とに接続されている。これにより、背面部５２、包囲状壁部５４、カバー側面５１４およびカバー背側面５１５により、環状の囲いが形成される。また、包囲状壁部５４は、自立可能なように構成されている。具体的には、包囲状壁部５４には、芯となる板材が入れられている。また、包囲状壁部５４は、カバー部５１のカバー側面５１４に対して着脱可能に構成されている。具体的には、包囲状壁部５４の係合部５４ａと、カバー側面５１４の係合部５１４ａおよびカバー背側面５１５の係合部５１５ａとが着脱可能に係合している。係合部５４ａは、水平方向に延びるように形成されている。これにより、包囲状壁部５４と、カバー側面５１４およびカバー背側面５１５とのＹ方向における係合位置を調整することが可能に構成されている。つまり、収容部５ａは、水平方向（ＸＹ方向）の面積を変更可能に構成されている。
【００５８】
図１１に示すように、カバー部５１と背面部５２との間には、水溜り部５ｂが設けられている。水溜り部５ｂは、ウォーターフェンス１０を越えた水を溜めることが可能に構成されている。水溜り部５ｂに溜まった水はウォーターフェンス１０に接続されたポンプ３により排水させることが可能である。また、包囲状壁部５４の一部は、水溜り部５ｂの側壁により構成されている。
【００５９】
押圧部材６としては、たとえば、袋に入れた水が用いられる。袋は、ビニール袋のように柔軟性があるものが好ましい。これにより、袋が中の水により変形して、背面部５２を背面側（Ｙ１方向側）に容易に押圧することが可能である。
【００６０】
（実施形態の効果）
本実施形態では、以下のような効果を得ることができる。
【００６１】
本実施形態では、上記のように、背面部５２により壁面の一部が形成されるとともに、側面底部５３の上側（Ｚ１方向側）に配置された収容部５ａを構成する包囲状壁部５４を設ける。これにより、収容部５ａに背面部５２を背面側（Ｙ１方向側）に押圧する押圧部材６を収容することができるので、背面部５２を背面側の壁や柱などに密着させることができる。これにより、ウォーターフェンス１０の側面を回り込んで背面に水が侵入するのを抑制することができる。また、収容部５ａに側面底部５３を設置面側（Ｚ２方向側）に押圧する押圧部材６を収容することができるので、側面底部５３を設置面に密着させることができる。これにより、設置面に対しての水密性を向上させることができる。これらの結果、設置面に対しての水密性を向上させるとともに、背面への水の回り込みを抑制して、浸水を効果的に抑制することができる。
【００６２】
また、本実施形態では、上記のように、収容部５ａを、少なくとも背面部５２を背面側（Ｙ１方向側）に押圧する押圧部材６を収容可能に構成する。これにより、押圧部材６による押圧により背面部５２を背面側の壁や柱などに容易に密着させることができるので、背面への水の回り込みを効果的に抑制することができる。
【００６３】
また、本実施形態では、上記のように、包囲状壁部５４を、背面部５２とカバー部５１のカバー側面５１４とに接続する。これにより、収容部５ａを、背面部５２と、ウォーターフェンス１０の側面との両方に隣接して配置することができる。
【００６４】
また、本実施形態では、上記のように、包囲状壁部５４を、カバー部５１の側面に対して着脱可能に構成する。これにより、包囲状壁部５４のカバー部５１のカバー側面５１４に対する装着位置を変更させることができるので、収容部５ａの大きさを容易に調整することができる。これにより、背面部５２を背面側（Ｙ１方向側）に押圧する押圧部材６を収容部５ａに収容する場合に、押圧部材６を確実に背面部５２に押し当てることができるので、背面部５２を背面側に確実に押圧することができる。
【００６５】
また、本実施形態では、上記のように、収容部５ａを、カバー部５１の長手方向（Ｘ方向）の両端に設ける。これにより、ウォーターフェンス１０の長手方向の側面両端から回り込んで背面に水が侵入するのを効果的に抑制することができる。
【００６６】
また、本実施形態では、上記のように、カバー部５１と背面部５２との間に、水溜り部５ｂを設ける。これにより、水溜り部５ｂに溜まった水により、ウォーターフェンス用シート５を設置面および背面の壁や柱などに対して密着させることができるので、ウォーターフェンス１０の背面への水の回り込みをより効果的に抑制することができる。
【００６７】
また、本実施形態では、上記のように、包囲状壁部５４の一部を、水溜り部５ｂの側壁により構成する。これにより、水溜り部５ｂの側壁を用いて、収容部５ａを容易に形成することができる。
【００６８】
また、本実施形態では、上記のように、背面部５２を、上端がカバー部５１よりも高い位置に配置されるように構成する。これにより、ウォーターフェンス１０を越えた水を、背面部５２により止めることができるので、背面部５２の背面への浸水を効果的に抑制することができる。
【００６９】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７０】
たとえば、上記実施形態では、ウォーターフェンスが直線的に形成されている構成の例を示したが、本発明はこれに限らない。本発明では、ウォーターフェンスが折れ曲がるように形成されていてもよい。この場合、ウォーターフェンス用シートをウォーターフェンスに沿って曲げて被せてもよい。
【００７１】
また、上記実施形態では、押圧部材として、袋に入れた水を用いる例を示したが、本発明はこれに限らない。本発明では、袋に入れた砂や石などを押圧部材として用いてもよい。また、ペットボトルなどの容器に入れた水や砂などを押圧部材として用いてもよい。また、バーベルや石などを押圧部材として用いてもよい。
【００７２】
また、上記実施形態では、ウォーターフェンス用シートを縫製により接合する構成の例を示したが、本発明はこれに限らない。本発明では、ウォーターフェンス用シートを接着により接合してもよいし、接合しないで立体的に形成してもよい。
【００７３】
また、上記実施形態では、ウォーターフェンスに入れる重り部材としてペットボトルを用いた例を示したが、本発明はこれに限らない。本発明では、ペットボトル以外の部材を重り部材として用いてもよい。たとえば、バーベルや石などを重り部材として用いてもよい。
【００７４】
また、上記実施形態では、設置力増強部材が、第１設置力増強部材および第２設置力増強部材の２層により形成されている例を示したが、本発明はこれに限らない。本発明では、設置力増強部材を１層により形成してもよいし、３層以上により形成してもよい。
【００７５】
また、上記実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【００７６】
また、上記実施形態では、ウォーターフェンスおよびウォーターフェンス用シートにより浸水を防ぐ例を示したが、本発明はこれに限らない。本発明では、ウォーターフェンスおよびウォーターフェンス用シートに加えて、土嚢や水嚢を周辺に配置して、浸水を防いでもよい。これにより、押し寄せる水の量が多い場合でも、ウォーターフェンスの周囲に土嚢や水嚢を設置することによって、ウォーターフェンスの背面から回り込もうとする水をせき止めるとともに、回り込もうとする水をウォーターフェンスの側面側の設置力増強部材から吸引することができる。
【００７７】
また、上記実施形態では、ウォーターフェンス本体部の第１部材と第２部材とを連結部材により係合させて連結する構成の例を示したが、本発明はこれに限らない。本発明では、ウォーターフェンス本体部の第１部材と第２部材とをボルトにより締結して連結してもよい。
【符号の説明】
【００７８】
５  ウォーターフェンス用シート
５ａ  収容部
５ｂ  水溜り部
６  押圧部材
１０  ウォーターフェンス
５１  カバー部
５２  背面部
５３  側面底部
５４  包囲状壁部
【図１】
0006486258.tif 000002
【図２】
0006486258.tif 000003
【図３】
0006486258.tif 000004
【図４】
0006486258.tif 000005
【図５】
0006486258.tif 000006
【図６】
0006486258.tif 000007
【図７】
0006486258.tif 000008
【図８】
0006486258.tif 000009
【図９】
0006486258.tif 000010
【図１０】
0006486258.tif 000011
【図１１】
0006486258.tif 000012